(57)【要約】【課題】    スノーダンプ（登録商標）には現在の排雪の積載量を倍増させたいという願いと原型を生かし廉価で使いやすく素人でも簡単に取付けや取外し可能な用具の開発が出来るかどうかが課題であった。【解決手段】  スノーダンプ（登録商標）のＵ字型の持ち手の両側の縦棒に補助盤を、横棒に補助の支持棒を取付け雪の運搬量を倍増させる用具の開発であり、スノーダンプ（登録商標）は金属製と合成樹脂製の用具が市販されているがいずれも雪上での滑りは良好な性質であるので運搬量が倍増されても何ら問題がない。当該用具には小・中・大の型があり大の用具に満杯で排雪を積んだとしても押す力はさほど必要ない位い滑りのよい器具でありこの用具のＵ字型の持ち手の部分に波形のタキロン（登録商標）でできた補助盤に踏み込み足の切欠きの穴をくりぬいて加工した用具を取り付け、この部分へ排雪を追加して積むことで運搬量の倍増を可能にした用具である。【選択図】      図２
2012046920.tif 000002
【特許請求の範囲】
【請求項１】
スノーダンプ（登録商標）のＵ字型の持ち手部分の縦の両側の棒の間に雪橇の雪止めの部分から横棒の１５ｃｍ位下の部分までの長方家の補助盤を両側の棒にボルト止めし、手押し部分の横棒に、上の部分がＵ字型の横棒受けをつけた支持棒をひもで横棒に取り付ける。補助盤には雪橇の雪止めの中央に当たる部分に踏み込み足の切欠きの穴をつけてなる除雪補助具。
【請求項２】
除雪の積載部分は従来の雪橇部分の他、補助盤部分への追加積み込みができるので、現状のままのスノーダンプ（登録商標）のほぼ倍以上の積み込みができるが、滑りの良好な用具なので運搬上何ら問題のない除雪補助具。
【請求項３】
補助盤は合板、金属製、合成樹脂系等のうす板や波板を利用して作る用具。
【請求項４】
スノーダンプ（登録商標）の原形をそのまま残し補助板や支持棒の脱着が簡単にできる用具。
【発明の詳細な説明】
【技術分野】
【０００１】
スノーダンプ（登録商標）へ波形のタキロン（登録商標）に足で踏み込む位置に切り欠きの穴をあけた補助盤と支持棒をＵ字形の持ち手の部分に取り付け、捨て雪の運搬量を倍増させる技術の開発である。
【背景技術】
【０００２】
スノーダンプ（登録商標）は本来雪橇の部分に捨て雪を積むことになっているので、捨て雪を積んだ時の「支点がどうの」ということは全く問題にしないで作業が出来るように設計されている。
このスノーダンプ（登録商標）を利用して捨て雪の運搬量を倍増させるため、スノーダンプ（登録商標）のＵ字形の持ち手の近くまでの補助盤を取り付け、この部分まで捨て雪を積み込むことになるので、支点の位置が問題になってくる。捨て雪を積み終わるちょっと手前で持ち手の方の捨て雪の重量が雪橇の部分の重量より少しだけ重くなり、雪橇の部分がゆっくりと持ち上がって斜めの状態になり、逆に持ち手の方が水平になってしまうが雪には粘性もあるのでくずれることはない。
作業に慣れた人たちにとっては、持ち手の方が水平の状態になっていても支点の両端に重量がかかっているので、簡単に持ち手の部分を持ち上げることができることを知っているのであまり不便さを感じないで作業を進めることもできる。
ところが一般の方々の中には納得出来にくい面もあると思われるので、簡単な支持棒を取り付けることによって今までのスノーダンプ（登録商標）と同じような状態で持ち手の近くまで捨て雪を積み込むことができるように工夫した用具である。
【０００３】
スノーダンプ（登録商標）には金属製のものと合成樹脂性のものがあるが、いずれも雪上での滑りが良好な性質を利用したもので、雪の量が倍増されても運搬上なんら支障がなく、滑りだしたあとは片手での運搬ができることも実証済みである。
なおスノーダンプ（登録商標）には小（子供用）、中（普通サイズ）、大（若者用）が市販されているが寸法が決められているので、いずれのサイズでも対応が可能になるようにそれぞれの寸法に合わせた補助盤と補助棒を用意している。
【０００４】
スノーダンプ（登録商標）の原形はそのままで、足で踏み込む位置に必要最小限の切欠きの穴をくりぬいた波形のタキロン（登録商標）の盤をＵ字型の持ち手の部分に取り付けることと支持棒の取り付けにより、支点に関係なく今までのスノーダンプ（登録商標）と同じような作業が出来るように工夫された技術の開発である。
【０００５】
足を踏み込む位置に切欠きの穴をあけたのは、最初に雪を積み込むときは持ち手を押して雪に差し込み、次に足で穴の位置を踏み込んで、できるだけ多くの捨て雪を雪橇の部分に積み込むために必要な穴である。
【０００６】
波形のタキロン（登録商標）を利用することにしたのは、雪の滑りが良好で波型に添うて雪が流れることと雪橇の部分の捨て雪のあとを追うてきれいに流れるので、排雪が楽にできること。また軽い素材であることと波形のため力学的にみてもかなり丈夫な材料になるので、雪捨てようにはもってこいの素材である。
【０００７】
足を踏み込む位置に穴があいているので、積み込んだ雪が穴からこぼれ落ちるのではないかと心配するむきもあろうかと思われるが、前にも記述したように新雪でも粘性があるので全く心配は不用である。
【先行技術文献】
【特許文献】
【０００８】
【特許文献１】実開昭６２−１８１６１６
【特許文献２】実開平６−６３６２２
【０００９】
上記特許文献１はスノーダンプ（登録商標）へ両側板と背板を取り付け捨て雪の積載量の増量を計ったものである。
【００１０】
上記特許文献２はスノーダンプ（登録商標）へコの字型の雪積み囲いを回転可能な状態で付設し捨て雪の積載量の増量を計ったものである。
【発明の概要】
【発明が解決しようとする課題】
【００１１】
雪国の各家庭では融雪装置を設置している場合でもスノーダンプ（登録商標）を一台用意しているのが普通のようである。
この滑りのよいスノーダンプ（登録商標）を活用しもっと多くの雪を積むことが出来ないものだろうかと考えている人たちが多いことを大きな課題としてとらえたものである。
但しその条件として次のようなことが上げられているようである。
１．経費をあまりかけないでできること。
２．除雪車が各家庭の前に残した固くて大きな雪の塊でも積み込みやすいこと。
３．川辺の柵などがあってもそのままで捨てることができること。
４．部品を購入して現在使用中のスノーダンプ（登録商標）に素人でも簡単に取り付けや取り外しができること。
５．作業中の夏期間の収納のことからみて現在使用中のスノーダンプ（登録商標）そのものの形と重さがあまり変わらないこと。
６．スノーダンプ（登録商標）購入の時家族で共用できることを考えて中型のものが多く購入されているようである。このことから改造しても共用できること。
７．スノーダンプ（登録商標）の販売所でも在庫の新品に部品を取り付けて販売ができることと部品だけの販売もできること（安全面のチェックが必要になる）
この条件をクリアしてのスノーダンプ（登録商標）となればなかなか大変と思われるが、発明の名称の所に載せたスノーダンプ（登録商標）が上の１〜７の課題を解決できる器具であることを確信して提案することにしたものである。
特許文献１、特許文献２と上記１〜７の条件と比較してみると次のようになる。
【００１２】
１．については
【特許文献１】は両側板・背板を取り付けたものであり、
【特許文献２】はコの字型の雪積み囲いを回転可能な状態で付設したのもで、雪の積載量は多くなるものの改造の経費がかさむので一般向けの対象としては無理があるように思われる。      ２．については両方とも形が決まらない固い雪の塊（除雪車が各家庭の前に残したような固い雪の塊等）は枠組みが決められた中にはおさまりきれないものもあるので、この場合には砕くという作業がつきまとうことになり利用者からは敬遠されるものと思われる。普通のスノーダンプ（登録商標）は両側板の先方が低くなっているので、両側板からはみ出した形でも簡単に積み込みが出来るよう設計されているので問題が生じない。（今回登録予定のスノーダンプ（登録商標）は雪橇部分には全く手を加えていないので、全く問題がない）      ３．については両側板や雪積み囲いが邪魔になり雪を捨てる時苦労が付きまとうことになる。      ４．については素人で簡単に取り付けることが面倒な設計のようである。      ５．についてはそのままでは広い収納場所が必要になる（今回登録予定のスノーダンプ（登録商標）は補助盤と支持棒は素人でも簡単に取外しができることと、そのままの状態でも形は大きさは変わらないので、今までの収納場所で十分である）      ６．については両方とも付帯物が多く形状も重量も本体と大きく異なっていることが図面からはっきりと読み取れる。（今回登録予定のスノーダンプ（登録商標）は本体に追加される補助盤は軽い波形のタキロン（登録商標）と取り付け部分のナット類、それに３ｃｍ幅くらいの布製バンド２本、アルミ製でパイプの支持棒１本だけなので、総体的な形状の大きな変化がなく、重量も大きくは変わっていない。なお、余力のある若い人は最大限の量を積み、力に自身がない人は雪橇部分＋補助盤部分への少量を積み込むなど、共用にも問題がない。なお補助盤部分へ少量を積み込む場合は補助棒を必要としないで作業できる。）      ７．作業手順が判っている業者は乗ってこないだろうと思われる。
【課題を解決するための手段】
【００１３】
スノーダンプ（登録商標）のＵ字型の持ち手の部分の縦の両側の棒の間に雪橇の雪止めの部分から横棒の１５ｃｍ位下の部分までの長方形の補助盤を両側の棒にボルト止めし、手押し部分の横棒に、上の部分がＵ字型の横棒受けをつけた支持棒をひもで横棒に取り付ける。補助盤には雪橇の雪止めの中央に当たる部分に踏み込み足の切欠きの穴をつけてなる除雪補助具を開発し、課題を解決することにした。
【００１４】
除雪の積載部分は従来の雪橇部分の他、補助盤部分への追加積み込みができるので、現状のままのスノーダンプ（登録商標）のほぼ倍以上の積み込みができるが、滑りの良好な用具なので運搬上なんら問題のない除雪補助具であることは実証済である。
普通は正常の雪積み場所のみが考えられるので
【特許文献１】や
【特許文献２】のようにこの部分だけの側面等の高さで勝負しようとすることになるようであるが私の提案は正常の雪の積み場所＋Ｕ字形になっている持ち手の部分へ補助盤を取り付け、この部分にも雪を積み込むように工夫を凝らしたのが解決の手段である。
【発明の効果】
【００１５】
勤めを持っている人は、朝の出勤のいろいろな準備の他に、この雪片付けというもう一つの大きな課題が大きくのしかかってくる。そしてこの雪片付けの量は前の晩の降雪量と除雪車の出動によるため、杓子定規のようにはいかないので精神的な負担と肉体的な負担を大きくしている。
特に、雪捨て場が遠い場合は肉体的な疲労にもつながってくるので、同じ量を運ぶのに少ない回数でとなれば、当然一度に運ぶ量の多さが必要になる。だが市販のスノーダンプ（登録商標）では形も大きさも決まっているので、積み方を工夫してもそんなに大きく変わらないのが実状である。このようなことからこれを解決するためにはどのようにすればよいのかが大きな課題でもあった。
現在スノーダンプ（登録商標）を持っている人たちも、これから新たに買おうとする人たちもそのスノーダンプ（登録商標）に補助盤と支持棒を取り付けるだけで、運搬回数を半数で済むように工夫された用具なので多くの人たちにとっても有用な用具である。
なお、スノーダンプ（登録商標）の製作会社でも、製作その他のことで大きな効果を生み出すことができるがこれは産業上の利用可能性の方で記述する。
世界中の人口３０万人以上の都市で降雪量世界一とまで言われている地区の住民の一人として毎年必ずやってくる雪との闘い、そのことに真っ向から立ち向かわなければならないが、負けてはいられないのが現実の生活である。人口を考えなければ、まだまだ積雪量の多い地区や私たちの地区より積雪量が少ない地区の住民でも雪との闘いで苦労を重ねている人たちは国内だけでもざっと２０００万人は下らないものと思われる。この中で実際にスノーダンプ（登録商標）を利用している世帯数はとなれば平均で５人家族と見ても４００万世帯、その中の５割とみても概数で２００万世帯と見ることができる。正確な統計は見ていないのであくまでも推計に過ぎないが、ざっとこれだけの世帯の人たちがスノーダンプの恩恵を受けているものとすれば、その中の何割かの人たちが家族と共用のためやむなく中型を選び、出勤前の忙しい時間帯での排雪ではもっと排雪を運べるスノーダンプ（登録商標）はとなるのは当然の成り行きとも思われる。
【図面の簡単な説明】
【００１６】
【図１】市販のスノーダンプ（登録商標）の見取図
【図２】波形のタキロン（登録商標）の補助盤と補助の支持棒を取り付けたスノーダンプ（登録商標）の見取図
【図３】市販のスノーダンプ（登録商標）への排雪の積載量の側面図の略図
【図４】波形のタキロン（登録商標）の補助盤を取り付けたスノーダンプ（登録商標）への排雪の積載量の図形の略図
【図５】補助盤の脱着部分の略図（ＡとＢ）（スノーダンプ（登録商標）への補助盤等の脱着の手順）
【００１７】
図５  補助盤の脱着部分の略図（ＡとＢ）のように二つの脱着の仕方を用意していますので、補助盤等を購入の時、業者にＡ（ボルトとナットによる結束）なのかＢ（針金による結束）なのかを相談してから購入して下さい。
【００１８】
業者では補助盤を取り付けて販売する時、ＡのようにＵ字形の持ち手の両側の縦棒へ穴を開け、ボルトとナットによる結束の方で販売しております。
【００１９】
手持ちのスノーダンプ（登録商標）へ補助盤等の部品を購入し自分で取り付ける場合、Ｕ字形の持ち手の両側の縦棒へ穴を開けるドリルをもっている方はボルトとナットで固定する方を選び、業者にお願いできない場合は、補助盤の両側各二ヶ所に針金で固定できるように穴をあけた用具が用意されているのでそちらを利用ください。どちらも実験済で何ら問題がないことをつけ加えておきます。
【００２０】
支持棒の取り付けはＵ字形の持ち手の部分の手で押す横棒に軟らかいナイロン製のひもを２０ｃｍ位の余裕をもって結びつけ付けておくだけでよい。
【発明を実施するための形態】
【００２１】
早急に審査請求を提出し、その結果を見て今後の対策を検討する。
【実施例１】
【００２２】
スノーダンプ（登録商標）へ手製の補助盤と補助の支持棒を取り付け実験中でその効果は予想以上である。
【産業上の利用可能性】
【００２３】
部品は割れにくい波型のタキロン（登録商標）の補助盤とアルミ製パイプの支持棒、それに補助盤を支える広幅（３ｃｍ位）の布製バンド２本分を市販のスノーダンプ（登録商標）または現在使用中のスノーダンプ（登録商標）に付設するだけで完成し、その用具の使用により個人としても作業効率が高められ排雪の運搬回数が半分で済むことになるので一日の生活や仕事にも大きな活力を残すことができるようになる。
個人の活力残存は微々たるものと思いがちであるが、それが雪国全体の人たちの総合力に還元されることになれば莫大な活力を生み出すことにつながることになる。
またスノーダンプ（登録商標）の製作会社でも新たなスノーダンプ（登録商標）の型版の負担が全くないまま、現行の製作器具をそのまま活用できることになり、新規に製作するのは補助盤と支持棒だけになるので大きな負担にはつながらないことになる。
更に現在の在庫品と合わせ新規に製作されるスノーダンプ（登録商標）ともども必要に応じて補助盤と支持棒を取り付けて販売できることと補助板と支持棒を別売で利用者に販売することもできるので業者も利用者にも歓迎される製品としての効果は抜群のものと思われる。
【符号の説明】
【００２４】
１  Ｕ字形の持ち手
２  排雪の積載場所
３  積載場所は鉄製と合成樹脂製の二種類が市販されている
４  ステンレス製の雪受け
５  波形タキロン（登録商標）の補助盤
６  踏み込み足が入る切欠きの穴
７  補助盤を支えるバンド
８  持ち手への固定用具（原則ボルトとナット）
９  持ち手への固定用具（古い器具は針金）
１０  支持棒
１１  支持棒をつなぐ紐
１２  市販のスノーダンプ（登録商標）の雪の運搬量
１３  補助盤への追加の雪の運搬量
１４  針金を通す穴
【図１】
2012046920.tif 000003
【図２】
2012046920.tif 000004
【図３】
2012046920.tif 000005
【図４】
2012046920.tif 000006
【図５】
2012046920.tif 000007
【手続補正書】
【提出日】平成22年10月25日(2010.10.25)
【手続補正１】
【補正対象書類名】特許請求の範囲
【補正対象項目名】請求項１
【補正方法】変更
【補正の内容】
【請求項１】
スノーダンプ（登録商標）のＵ字型の持ち手部分の縦の両側の棒の間に雪橇の雪止めの部分から横棒の１５ｃｍ位下の部分までの長方家の補助盤を両側の棒にボルト止めし、手押し部分の横棒に、上の部分がＵ字型の横棒受けをつけた支持棒をひもで横棒に取り付け、補助盤には雪橇の雪止めの中央に当たる部分に踏み込み足の切欠きの穴をつけてなる除雪補助具。
【手続補正書】
【提出日】平成23年7月11日(2011.7.11)
【手続補正１】
【補正対象書類名】明細書
【補正対象項目名】全文
【補正方法】変更
【補正の内容】
【発明の詳細な説明】
【技術分野】
【０００１】
把手付き橇へポリカーボネート樹脂で製造された波形の板に足で踏み込む位置に切り欠きの穴を開けた補助盤と支持棒をＵ字形の把手の部分に取り付け、捨て雪の運搬量を倍増させる技術の開発である。
【背景技術】
【０００２】
把手付き橇は本来、橇の部分に捨て雪を積むことになっているので、捨て雪を積んだ時の「支点がどうの」ということは全く問題にしないで作業ができるように設計されている。この把手付き橇を利用して捨て雪の運搬量を倍増させるため、把手付き橇のＵ字形の把手の近くまでの補助盤を取り付け、この部分まで捨て雪を積み込むことになるので、支点の位置が問題になってくる。捨て雪を積み終わるちょっと手前で把手の方の捨て雪の重量が橇の部分の重量より少しだけ重くなり、橇の部分がゆっくりと持ち上がって斜めの状態になり、逆に把手のほうが水平になってしまうが雪には粘性もあるのでくずれることはない。作業に慣れた人たちにとっては、把手の方が水平の状態になっていても支点の両端に重量がかかっているので、簡単に把手の部分を持ち上げることができることを知っておりあまり不便さを感じないで作業を進めることもできる。  ところが一般の方々の中には納得出来にくい面もあると思われるので、簡単な支持棒を取り付けることによって今までと同じような状態で把手の近くまで捨て雪を積み込むことができるように工夫した用具である。
【０００３】
把手付き橇には金属性のものと合成樹脂性のものがあるが、いずれも雪上での滑りが良好な性質を利用したもので、雪の量が倍増されても運搬上なんら支障がなく、滑りだしたあとは片手での運搬ができることも実証済みである。  なお把手付き橇には小（子供用）、中（普通サイズ）、大（若者用）が市販されているが寸法が決められているので、いずれのサイズでも対応が可能になるようにそれぞれの寸法に合わせた補助盤と支持棒を用意している。
【０００４】
把手付き橇の原型はそのままで、足で踏み込む位置に必要最小限の切欠きの穴をくりぬいたポリカーボネート樹脂で製造された波形の補助盤を把手の部分に取り付けることと支持棒の取り付けにより、支点に関係なく今までと同じような作業が出来るように工夫された技術の開発である。
【０００５】
足を踏み込む位置に切り欠きの穴をあけたのは、最初に雪を積み込むときは把手で雪に差し込み、次に足で穴の位置を踏み込んで、できるだけ多くの捨て雪を橇の部分に積み込むために必要な穴である。
【０００６】
ポリカーボネート樹脂の波形の板を利用することにしたのは、雪の滑りが良好で波形に添って雪が流れることと橇の部分の捨て雪のあとを追うてきれいに流れるので、排雪が楽にできること。また軽い素材であることと波形のため力学的にみてもかなり丈夫な材料になるので、雪捨てようにはもってこいの素材である。
【０００７】
足を踏み込む位置に穴があいているので、積み込んだ雪が穴からこぼれ落ちるのではないかと心配する向きもあろうかと思われるが、前にも記述したように新雪でも粘性があるので全く心配は不要である。
【先行技術文献】
【特許文献】
【０００８】
【特許文献１】実開昭６２−１８１６１６
【特許文献２】実開平６−６３６２２
【０００９】
上記特許文献１は把手付き橇へ両側板と背板を取り付け捨て雪の積載量の増量を計ったものである。
【００１０】
上記特許文献２は把手付き橇へコの字型の雪積み囲いを回転可能な状態で付設し捨て雪の積載量の増量を計ったものである。
【発明の概要】
【発明が解決しようとする課題】
【００１１】
雪国の各家庭では融雪装置を設置している場合でも把手付き橇を一台用意しているのが普通のようである。この滑りのよい把手付き橇を活用し、もっと多くの雪を積むことができないものだろうかと考えている人たちが多いことを大きな課題としてとらえたものである。但しその条件として次のようなことがあげられているようである。
１．経費をあまりかけないでできること。
２．除雪車が各家庭の前に残した固くて大きな雪の塊でも積み込みやすいこと。
３．川辺の柵などがあってもそのままで捨てることができること。
４．部品を購入して現在使用中の把手付き橇に素人でも簡単に取り付けや取り外しができること。
５．冬期間と夏期間の収納のことからみて現在使用中の把手付き橇そのものの形と重さがあまり変わらないこと。
６．把手付き橇の購入の時家族で共用できることを考えて中型のものが多く購入されているようである。このことから改造しても共用できること。
７．把手付き橇の販売所でも在庫の新品に部品を取り付けて販売ができることと部品だけの販売もできること（安全面のチェックが必要になる）
この条件をクリアしての改良把手付き橇となればなかなか大変と思われるが、発明の名称のところに載せた改良把手付き橇が上の１〜７の課題を解決できる用具であることを確信して提案することにしたものである。
特許文献１、特許文献２と上記１〜７の条件を比較してみると次のようになる。
【００１２】
１．については特許文献１は両側板と背板を取り付けたものであり、特許文献２はコの字型の雪積み囲いを回転可能な状態で付設したものもで、雪の積載量は多くなるものの改造の経費がかさむので一般向けの対象としては無理があるように思われる。２．については両方とも形が決まらない固い雪の塊（除雪車が各家庭の前に残したような固い雪の塊等）は枠組みがきめられた中におさまりきれないものもあるので、この場合には砕くという作業がつきまとうことになり利用者からは敬遠されるものと思われる。普通の把手付き橇は両側板の先方が低くなっているので問題が生じない。（今回登録予定の改良把手付き橇は橇部分には全く手を加えていないので、全く問題がない）３．については両側板や雪積み囲いが邪魔になり雪を捨てるとき苦労が付きまとうことになる。４．については素人で簡単に取り付けることが面倒な設計のようである。５．についてはそのままでは広い収納場所が必要になる（今回登録予定の改良把手付き橇は補助盤と支持棒は素人でも簡単に取り外しができることと、そのままの状態でも形と大きさは変わらないので、今までの収納場所で十分である）６．については両方とも付帯物が多く形状も重量も本体と大きく異なっていることが図面からはっきりと読み取れる。（今回登録予定の改良把手付き橇は本体に追加される補助盤は軽いポリカーボネート樹脂の波形の板と取り付け部分のナット類、それに３ｃｍ幅ぐらいの布製バンド２本、アルミ製でパイプの支持棒１本だけなので、相対的な形状の大きな変化がなく、重量も大きくは変わっていない。）なお、余力のある若い人は最大限の量を積み、力に自信が無い人は橇部分＋補助盤部分への少量を積み込むなど、共用にも問題がない。なお補助盤部分へ少量を積み込む場合は支持棒を必要としないで作業できる。７．作業手順が判っている業者は乗ってこないだろうと思われる。
【課題を解決するための手段】
【００１３】
改良把手付き橇のＵ字型の把手の部分の縦の両側の棒の間に雪橇の雪止めの部分から横棒の１５ｃｍ位までの長方形の補助盤を両側の棒にボルト止めし、把手部分の横棒に、上の部分がＵ字型の横棒受けをつけた支持棒をひもで取り付ける。補助版には雪橇の雪止めの中央に当たる部分に踏み込み足の切欠きの穴をつけてなる改良把手付き橇を開発し、課題を解決することにした。
【００１４】
除雪の積載部分は従来の雪橇部分の他、補助盤部分への追加積み込みができるので、現状のままの把手付き橇のほぼ倍以上の積み込みができるが、滑りの良好な用具なので運搬上なんら問題のない改良把手付き橇であることは実証済である。普通は正常の雪積み場所のみが考えられるので特許文献１や特許文献２のようにこの部分だけの側面等の高さで勝負しようとすることになるようであるが私の提案は、正常の雪の積み場所＋Ｕ字型になっている把手の部分へ補助盤を取り付け、この部分にも雪を積み込むよう工夫をこらしたのが解決の手段である。
【発明の効果】
【００１５】
勤めを持っている人は、朝の出勤のいろいろな準備の他に、この雪片付けというもう一つの大きな課題が大きくのしかかってくる。そしてこの雪片付けの量は前の晩の降雪量と除雪車の出動によるため、杓子定規のようにはいかないので精神的な負担と肉体的な負担を大きくしている。
特に、雪捨て場が遠い場合は肉体的な疲労にもつながってくるので、同じ量を運ぶのに少ない回数でとなれば、当然一度に運ぶ量の多さが必要になる。だが市販の把手付き橇では形も大きさも決まっているので、積み方を工夫してもそんなに大きく変わらないのが実情である。このようなことからこれを解決するためにはどのようにすればよいのかが大きな課題でもあった。
現在把手付き橇を持っている人たちも、これから新たに買おうとする人たちもその把手付き橇に補助盤と支持棒を取り付けるだけで、運搬回数を半数で済むように工夫された用具なので多くの人たちにとっても有用な用具である。
なお、把手付き橇の製作会社でも、製作その他のことで大きな効果を生み出すことができるがこれは産業上の利用可能性の方で記述する。
世界中の人口３０万人以上の都市で降雪量世界一とまでいわれている地区の住民の一人として毎年必ずやってくる雪との闘い、そのことに真っ向からたち向かわなければならないが、負けてはいられないのが現実の生活である。人口を考えなければ、まだまだ積雪量の多い地区や私達の地区より積雪量が少ない地区の住民でも雪との闘いで苦労を重ねている人たちは国内だけでもざっと２０００万人は下らないものと思われる。この中で実際に把手付き橇を利用している世帯数はとなれば平均で５人家族とみても４００万世帯、その中の５割とみても概数で２００万世帯とみることができる。正確な統計は見ていないのであくまでも推計にすぎないが、ざっとこれだけの世帯の人たちが把手付き橇の恩恵を受けているものとすれば、その中の何割かの人たちが家族と共用のためやむなく中型を選び、出勤前の忙しい時間帯での排雪ではもっと排雪を運べる把手付き橇は、となるのは当然の成り行きとも思われる。
【図面の簡単な説明】
【００１６】
【図１】市販の把手付き橇の見取り図
【図２】ポリカーボネート樹脂で製造された補助盤と支持棒を取り付けた改良把手付き橇の見取り図
【図３】把手付き橇への排雪の積載量の側面図の略図
【図４】ポリカーボネート樹脂で製造された補助盤を取り付けた把手付き橇への排雪の積載量の側面図の略図
【図５】補助盤の脱着部分の略図（ＡとＢ）（把手付き橇への補助盤等の脱着の手順）
【００１７】
図５の補助盤の脱着部分の略図（ＡとＢ）のように二つの脱着の仕方を用意していますので、補助盤等を購入の時、業者にＡ（ボルトとナットによる結束）なのかＢ（針金による結束）なのかを相談してから購入して下さい。
【００１８】
業者では補助盤を取り付けて販売する時、ＡのようにＵ字形の把手の両側の縦棒へ穴をあけ、ボルトとナットによる結束の方で販売しております。
【００１９】
手持ちの把手付き橇へ補助盤等の部品を購入し自分で取り付ける場合、Ｕ字形の把手の両側の縦棒へ穴を開けるドリルを持っている方はボルトとナットで固定する方を選び、業者にお願いできない場合は、補助盤の各二ヶ所に針金で固定できるように穴をあけた用具が用意されているのでそちらを利用ください。どちらも実験済で何ら問題がないことを付け加えておきます。
【００２０】
支持棒の取り付けはＵ字型の把手の部分の手で押す横棒に軟らかいナイロン製のひもを２０ｃｍ位の余裕をもって結びつけておくだけでよい。
【発明を実施するための形態】
【００２１】
早急に審査請求を提出し、その結果を見て今後の対策を検討する。
【実施例１】
【００２２】
把手付き橇へ手製の補助盤と補助の支持棒を取り付け実験中でその効果は予想以上である。
【産業上の利用可能性】
【００２３】
部品はポリカーボネート樹脂で製造された補助盤とアルミ製パイプの支持棒、それに補助盤を支える広幅（３ｃｍ位）の布製バンド２本分を市販の把手付き橇または現在使用中の把手付き橇に付設するだけで完成し、その用具の使用により個人としても作業効率が高められ排雪の運搬回数が半分で済むことになるので一日の生活や仕事にも大きな活力を残すことができるようになる。
個人の活力残存は微々たるものと思い勝ちであるが、それが雪国全体の人たちの総合力に還元されることになれば莫大な活力を生み出すことにつながることになる。
また把手付き橇の製作会社でも新たな把手付き橇の型版の負担が全くないまま、現行の製作器具をそのまま活用できることになり、新規に製作するのは補助盤と支持棒だけになるので大きな負担につながらないことになる。
さらに現在の在庫品と合わせ新規に製作される把手付き橇ともども必要に応じて補助盤と支持棒を取り付けて販売することができることと補助盤と支持棒を別売で利用者に販売することもできるので業者にも歓迎される製品としての効果は抜群のものと思われる。
【符号の説明】
【００２４】
１．Ｕ字型の把手
２．排雪の積載場所
３．積載場所は鉄製と合成樹脂製の二種類が市販されている
４．ステンレス製の雪受け
５．ポリカーボネート樹脂で製造された波形の板の補助盤
６．踏み込み足が入る切欠きの穴
７．補助盤を支えるバンド
８．把手への固定用具（原則ボルトとナット）
９．把手への固定用具（古い器具は針金）
１０．支持棒
１１．支持棒をつなぐ紐
１２．把手付き橇の雪の運搬量
１３．補助盤への追加の雪の運搬量
１４．針金を通す穴
【手続補正２】
【補正対象書類名】特許請求の範囲
【補正対象項目名】全文
【補正方法】変更
【補正の内容】
【特許請求の範囲】
【請求項１】
排雪を積載し滑らせて排雪場所へ運ぶ橇の部分と橇を操作するＵ字形の把手の部分を合体し一体化された把手付き橇において、前記Ｕ字形の把手の部分に橇と同じように排雪を積載し、排雪の積載量を増量させるために、橇の雪止めの部分から把手の手で操作する横の棒までと、把手と橇を一体化するための二本の縦棒で囲まれた長方形の部分の内、手で操作するために必要な横棒から１５ｃｍ位を除いた範囲にポリカーボネート樹脂で製造された波板の補助板をボルトで取り付け、さらに補助盤を支えるバンドで補強された改良把手付き橇。
【請求項２】
請求項１に記載の改良把手付き橇において、Ｕ字形の把手に取り付ける補助盤はポリカーボネート樹脂で製造された波形の板を利用し、この補助盤には橇の雪止め部分の足で踏みこむ位置に切欠きの穴をあけた、改良把手付き橇。
【請求項３】
請求項１並びに請求項２に記載の改良把手付き橇において排雪を橇の部分と補助盤の部分に満杯に積載した時、両部分に積載された排雪の重量のバランスが崩れ、補助盤部分の重量が少しだけ重くなり、このため把手側の補助盤の方が水平の状態になり逆に橇の底の部分の方が斜めに傾く、このことを防ぐため把手の横棒に支えとなる支持棒をひもで取り付けた改良把手付き橇。
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
排雪を積載し滑らせて排雪場所へ運ぶ橇の部分と橇を操作するＵ字形の把手の部分を合体し一体化された把手付き橇において、前記Ｕ字型の把手の部分に橇と同じように排雪を積載し、排雪の積載量を増量させるために、橇の雪止めの部分から把手の手で操作する横の棒までと、把手と橇を一体化するための二本の縦棒で囲まれた長方形の部分の内、手で操作するために必要な横棒から１５ｃｍ位を除いた範囲にポリカーボネート樹脂で製造された波板の補助盤をボルトで取り付け、さらに補助盤を支えるバンドで補強された改良把手付き橇において、Ｕ字形の把手に取り付ける補助盤はポリカーボネート樹脂で製造された波形の板を利用し、この補助盤には橇の雪止め部分の足で踏みこむ位置に切欠きの穴をあけ、排雪を橇の部分と補助盤の部分に満杯に積載した時、両部分に積載された排雪の重量のバランスが崩れ、補助盤部分の重量が少しだけ重くなり、このため把手側の補助盤の方が水平の状態になり逆に橇の底の部分の方が斜めに傾く、このことを防ぐため把手の横棒に支えとなる支持棒をひもで取り付けた改良把手付き橇。